(57)【要約】無線アクセス・ノードにおいて、アクセス端末の機能情報を更新することを容易にするシステムおよび方法が記載される。アクセス端末は、機能変化を検出すると、この変化を示すメッセージをアクセス・ノードへ送信する。このメッセージは、アクセス・ノードに対して、アクセス端末に関連付けられた機能変化を判定し、新たな機能情報を示すように記録を更新するようにトリガする。
2011530897.tif 000002
【特許請求の範囲】
【請求項１】
無線通信システムにおける機能変化を示す方法であって、
ラジオ接続を確立するための接続セットアップ・メッセージをアクセス端末へ送信することと、
前記アクセス端末に関連する機能変化インジケータを備えるメッセージを、前記アクセス端末から受信することと、
前記機能変化インジケータに少なくとも部分的に基づいて、前記アクセス端末における機能変化を判定することと
を備える方法。
【請求項２】
前記機能変化インジケータを備えるメッセージは、前記アクセス端末に関連する機能変化が生じた後に受信される請求項１に記載の方法。
【請求項３】
前記機能変化インジケータを備えるメッセージは、前記接続セットアップ・メッセージに関連する完了メッセージである請求項１に記載の方法。
【請求項４】
前記機能変化インジケータは、前記完了メッセージ内にビットを備える請求項３に記載の方法。
【請求項５】
前記機能変化インジケータは、前記機能変化を特定する請求項１に記載の方法。
【請求項６】
新たな機能情報を要求する機能問合メッセージを前記アクセス端末へ送信することをさらに備える請求項１に記載の方法。
【請求項７】
前記新たな機能情報は、モビリティ管理エンティティに格納される請求項６に記載の方法。
【請求項８】
前記機能変化インジケータは、前記アクセス端末の、指示された機能変化の詳述である請求項１に記載の方法。
【請求項９】
前記機能変化インジケータは、前記アクセス端末に接続された新たな周辺デバイスを示す請求項１に記載の方法。
【請求項１０】
前記機能変化インジケータは、前記アクセス端末の機能に影響を与える、ユーザによってトリガされた変化を示す請求項１に記載の方法。
【請求項１１】
無線通信システムにおいて動作可能な装置であって、
ラジオ接続を確立するための、アクセス端末への接続セットアップ・メッセージを生成する手段と、
前記アクセス端末に関連する機能変化インジケータを備える関連付けられたメッセージを、前記アクセス端末から受信する手段と、
前記機能変化インジケータに少なくとも部分的に基づいて、前記アクセス端末における機能変化を判定する手段と
を備える装置。
【請求項１２】
前記機能変化インジケータを備えるメッセージは、前記アクセス端末に関連する機能変化が生じた後に受信される請求項１１に記載の装置。
【請求項１３】
前記メッセージは、前記接続セットアップ・メッセージに関連する完了メッセージである請求項１１に記載の装置。
【請求項１４】
前記機能変化インジケータは、前記完了メッセージ内にビットを備える請求項１３に記載の装置。
【請求項１５】
前記機能変化インジケータは、前記機能変化を特定する請求項１１に記載の装置。
【請求項１６】
新たな機能情報を要求する機能問合メッセージを前記アクセス端末へ送信する手段をさらに備える請求項１１に記載の装置。
【請求項１７】
前記新たな機能情報は、モビリティ管理エンティティに格納される請求項１６に記載の装置。
【請求項１８】
前記機能変化インジケータは、前記アクセス端末の、指示された機能変化の詳述である請求項１１に記載の装置。
【請求項１９】
前記機能変化インジケータは、前記アクセス端末に接続された新たな周辺デバイスを示す請求項１１に記載の装置。
【請求項２０】
前記機能変化インジケータは、前記アクセス端末の機能に影響を与える、ユーザによってトリガされた変化を示す請求項１１に記載の装置。
【請求項２１】
プロセッサによって実行可能な命令群を備えるコンピュータ読取可能媒体を備えるコンピュータ・プログラム製品であって、
前記命令群は、
コンピュータに対して、ラジオ接続を確立するための接続セットアップ・メッセージをアクセス端末へ送信させるための第１のコード・セットと、
前記コンピュータに対して、前記アクセス端末に関連する機能変化インジケータを備えるメッセージを、前記アクセス端末から受信させるための第２のコード・セットと、
前記コンピュータに対して、前記機能変化インジケータに少なくとも部分的に基づいて、前記アクセス端末における機能変化を判定させるための第３のコード・セットと
を備えるコンピュータ・プログラム製品。
【請求項２２】
無線通信システムにおいて動作可能な装置であって、
ラジオ接続を確立するための、アクセス端末への接続セットアップ・メッセージを生成し、
前記アクセス端末に関連する機能変化インジケータを備える関連付けられたメッセージを、前記アクセス端末から受信し、
前記機能変化インジケータに少なくとも部分的に基づいて、前記アクセス端末における機能変化を判定する
ように構成されたプロセッサ
を備える装置。
【請求項２３】
無線通信システムにおける機能変化を示す方法であって、
アクセス端末がアクセス・ノードに接続されている間、ラジオ接続が解放された後に生じる機能変化を、前記アクセス端末において検出することと、
前記アクセス・ノードへのラジオ接続を再確立するためのラジオ接続要求を前記アクセス・ノードへ送信することと、
前記ラジオ接続を確立するための接続セットアップ・メッセージを、前記アクセス・ノードから受信することと、
前記機能変化を示す機能変化インジケータを備えるメッセージを前記アクセス・ノードへ送信することとを備え、
前記機能変化インジケータは、前記アクセス・ノードに対して、前記機能変化インジケータに少なくとも部分的に基づいて、前記アクセス端末における機能変化を判定するようにトリガする方法。
【請求項２４】
前記メッセージは、前記機能変化が、前記アクセス端末に関連して生じた後に送信される請求項２３に記載の方法。
【請求項２５】
前記メッセージは、前記接続セットアップ・メッセージに関連する完了メッセージである請求項２３に記載の方法。
【請求項２６】
前記機能変化インジケータは、前記完了メッセージ内にビットを備える請求項２５に記載の方法。
【請求項２７】
前記機能変化インジケータは、前記機能変化を特定する請求項２３に記載の方法。
【請求項２８】
新たな機能情報を要求する機能問合メッセージを前記アクセス・ノードから受信することをさらに備える請求項２３に記載の方法。
【請求項２９】
前記機能変化インジケータは、前記アクセス端末の、指示された機能変化の詳述である請求項２３に記載の方法。
【請求項３０】
前記機能変化インジケータは、前記アクセス端末に接続された新たな周辺デバイスを示す請求項２３に記載の方法。
【請求項３１】
前記機能変化インジケータは、前記アクセス端末の機能に影響を与える、ユーザによってトリガされた変化を示す請求項２３に記載の方法。
【請求項３２】
無線通信システムにおいて動作可能な装置であって、
アクセス端末がアクセス・ノードに接続されている間、ラジオ接続が解放された後に生じる機能変化を、前記アクセス端末において検出する手段と、
前記アクセス・ノードへのラジオ接続を再確立するため、前記アクセス・ノードへの接続要求を生成する手段と、
前記ラジオ接続を確立するための接続セットアップ・メッセージを前記アクセス・ノードから受信する手段と、
前記機能変化を示す機能変化インジケータを備える、前記アクセス・ノードへのメッセージを生成する手段とを備え、
前記機能変化インジケータは、前記アクセス・ノードに対して、前記機能変化インジケータに少なくとも部分的に基づいて、前記アクセス端末における機能変化を判定するようにトリガする装置。
【請求項３３】
前記メッセージは、前記機能変化が、前記アクセス端末に関連して生じた後に送信される請求項３２に記載の装置。
【請求項３４】
前記メッセージは、前記接続セットアップ・メッセージに関連する完了メッセージである請求項３２に記載の装置。
【請求項３５】
前記機能変化インジケータは、前記完了メッセージ内にビットを備える請求項３４に記載の装置。
【請求項３６】
前記機能変化インジケータは、前記機能変化を特定する請求項３２に記載の装置。
【請求項３７】
新たな機能情報を要求する機能問合メッセージを前記アクセス・ノードから受信する手段をさらに備える請求項３２に記載の装置。
【請求項３８】
前記機能変化インジケータは、前記アクセス端末の、指示された機能変化の詳述である請求項３２に記載の装置。
【請求項３９】
前記機能変化インジケータは、前記アクセス端末に接続された新たな周辺デバイスを示す請求項３２に記載の装置。
【請求項４０】
前記機能変化インジケータは、前記アクセス端末の機能に影響を与える、ユーザによってトリガされた変化を示す請求項３２に記載の装置。
【請求項４１】
プロセッサによって実行可能な命令群を備えるコンピュータ読取可能媒体を備えるコンピュータ・プログラム製品であって、
前記命令群は、
コンピュータに対して、アクセス端末がアクセス・ノードに接続されている間、ラジオ接続が解放された後に生じる機能変化を、前記アクセス端末において検出させるための第１のコード・セットと、
前記コンピュータに対して、前記アクセス・ノードへのラジオ接続を再確立するため、前記アクセス・ノードへ接続要求を送信させるための第２のコード・セットと、
前記コンピュータに対して、前記ラジオ接続を確立するための接続セットアップ・メッセージを前記アクセス・ノードから受信させるための第３のコード・セットと、
前記コンピュータに対して、前記機能変化を示す機能変化インジケータを備えるメッセージを、前記アクセス・ノードへ送信させるための第４のコード・セットとを備え、
前記機能変化インジケータは、前記アクセス・ノードに対して、前記機能変化インジケータに少なくとも部分的に基づいて、前記アクセス端末における機能変化を判定するようにトリガするコンピュータ・プログラム製品。
【請求項４２】
無線通信システムにおいて動作可能な装置であって、
アクセス端末がアクセス・ノードに接続されている間、ラジオ接続が解放された後に生じる機能変化を、前記アクセス端末において検出し、
前記アクセス・ノードへのラジオ接続を再確立するため、前記アクセス・ノードへの接続要求を生成し、
前記ラジオ接続を確立するための接続セットアップ・メッセージを前記アクセス・ノードから受信し、
前記機能変化を示す機能変化インジケータを備える、前記アクセス・ノードへのメッセージを生成する
ように構成されたプロセッサを備え、
前記機能変化インジケータは、前記アクセス・ノードを、前記機能変化インジケータに少なくとも部分的に基づいて、前記アクセス端末における機能変化を判定するようにトリガする装置。
【発明の詳細な説明】
【優先権主張】
【０００１】
本特許出願は、本明細書に参照によって明確に組み込まれ、本願の譲受人に譲渡され、２００８年８月８日に出願された“ＬＴＥ  ＵＥ  Ｃａｐａｂｉｌｉｔｙ  Ｕｐｄａｔｅ”と題された仮出願の優先権を主張する。
【技術分野】
【０００２】
本願は、一般に、無線通信に関し、さらに詳しくは、無線ネットワークにおける機能変化をレポートすることに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
一般に、無線多元接続通信システムは、複数のアクセス端末のための通信を同時にサポートしうる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
アクセス端末は、無線ネットワークに接続されている間に、変更され、その結果、端末機能、利用可能なサービス等が変更される。しかしながら、アクセス端末がネットワークに接続されている限り、アクセス端末の機能情報は、一般的には継続している。ネットワークは、アクセス端末に対する変化にまったく気付かない。アクセス端末における機能変化を示すようにネットワークを更新する方法を有することが望ましいであろう。
【発明の概要】
【０００６】
以下は、１または複数の態様の基本的な理解を与えるために、そのような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００７】
いくつかの態様によれば、無線通信システムにおけるアクセス端末の機能変化を示す方法は、ラジオ・リソース制御（ＲＲＣ）接続を確立するための接続セットアップ・メッセージをアクセス端末へ送信することと、アクセス端末に関連する機能変化インジケータを備えるメッセージを、アクセス端末から受信することと、機能変化インジケータに少なくとも部分的に基づいて、アクセス端末における機能変化を判定することとを備える。
【０００８】
いくつかの態様によれば、無線通信システムにおいて動作可能な装置は、ラジオ接続を確立するための、アクセス端末への接続セットアップ・メッセージを生成する手段と、アクセス端末に関連する機能変化インジケータを備える関連付けられたメッセージを、アクセス端末から受信する手段と、機能変化インジケータに少なくとも部分的に基づいて、アクセス端末における機能変化を判定する手段とを備える。
【０００９】
いくつかの態様によれば、無線通信システムにおいて動作可能な装置は、ラジオ接続を確立するための、アクセス端末への接続セットアップ・メッセージを生成し、アクセス端末に関連する機能変化インジケータを備える関連付けられたメッセージを、アクセス端末から受信し、機能変化インジケータに少なくとも部分的に基づいて、アクセス端末における機能変化を判定するように構成されたプロセッサを備える。
【００１０】
いくつかの態様によれば、無線通信システムにおける機能変化を示す方法は、端末がアクセス・ノードに接続されている間、ＲＲＣ接続が解放された後に生じる機能の変化を、アクセス端末において検出することと、アクセス・ノードへのＲＲＣ接続を再確立するためのＲＲＣ接続セットアップ・メッセージを、アクセス・ノードへ送信することと、ＲＲＣ接続を確立するための接続セットアップ・メッセージをアクセス・ノードから受信することと、機能変化を示す機能変化インジケータを備えるメッセージをアクセス・ノードへ送信することとを備える。ここで、機能変化インジケータは、アクセス・ノードに対して、機能変化インジケータに少なくとも部分的に基づいて、アクセス端末における機能変化を判定するようにトリガする。
【００１１】
いくつかの態様によれば、無線通信システムにおいて動作可能な装置は、アクセス端末がアクセス・ノードに接続されている間、ラジオ接続が解放された後に生じる機能の変化を、アクセス端末において検出する手段と、アクセス・ノードへのラジオ接続を再確立するためのアクセス・ノードへの接続要求を生成する手段と、ラジオ接続を確立するための接続セットアップ・メッセージをアクセス・ノードから受信する手段と、機能変化を示す機能変化インジケータを備える、アクセス・ノードへのメッセージを生成する手段とを備える。ここで、機能変化インジケータは、アクセス・ノードに対して、機能変化インジケータに少なくとも部分的に基づいて、アクセス端末における機能変化を判定するようにトリガする。
【００１２】
いくつかの態様によれば、無線通信システムにおいて動作可能な装置は、アクセス端末がアクセス・ノードに接続されている間、ラジオ接続が解放された後に生じる機能の変化を、アクセス端末において検出し、アクセス・ノードへのラジオ接続を再確立するための、アクセス・ノードへの接続要求を生成し、ラジオ接続を確立するための接続セットアップ・メッセージをアクセス・ノードから受信し、機能変化を示す機能変化インジケータを備える、アクセス・ノードへのメッセージを生成するように構成されたプロセッサを備える。ここで、機能変化インジケータは、アクセス・ノードに対して、機能変化インジケータに少なくとも部分的に基づいて、アクセス端末における機能変化を判定するようにトリガする。
【００１３】
前述した目的および関連する目的を達成するために、１または複数の実施形態は、後に十分に記載され、特許請求の範囲において特に指摘されている特徴を備える。次の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、そのような態様およびそれらの均等物の全てを含むことが意図されている。
【図面の簡単な説明】
【００１４】
本開示の特徴、特性、および利点は、同一の参照符号が全体を通じて同一物に特定している図面とともに考慮された場合、以下に記載する詳細な記載からより明らかになるだろう。
【図１】図１は、本明細書に記載されたさまざまな態様にしたがう無線通信システムを図示する。
【図２】図２は、本明細書に記載されたさまざまなシステムおよびネットワークにしたがう典型的な無線デバイスを図示する。
【図３】図３は、本明細書に記載されたさまざまなシステムおよびネットワークにしたがう典型的な基地局を図示する。
【図４】図４は、本明細書に記載されたさまざまな態様にしたがって、アクセス端末機能情報を更新する方法を図示するフローチャートである。
【図５】図５は、開示されたさまざまな態様にしたがって、アクセス端末機能を更新するためのメッセージ・フローの例を図示する。
【図６】図６は、無線媒体ブロードキャスト・ネットワークを介してメッセージをブロードキャストするシステムの実例である。
【図７】図７は、無線ブロードキャスト・メッセージを受信し処理するシステムの実例である。
【発明を実施するための形態】
【００１５】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびロー・チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭ（登録商標）は、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１６】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）またはイボルブドＵＴＲＡにおけるアップリンク多元接続スキームのために動作していると仮定されている。
【００１７】
図１を参照して、開示されたさまざまな態様にしたがう多元接続無線通信システムが例示されている。アクセス・ノード１００（ＡＮ）は、１つは１０４と１０６、もう１つは１０８と１１０、さらに別のもう１つは１１２と１１４を含む複数のアンテナ・グループを含んでいる。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００１８】
通信するように設計されたおのおののアンテナのグループおよび／またはエリアは、しばしば、アクセス・ノードのセクタを称される。実施形態では、アンテナ・グループのおのおのは、アクセス・ノード１００によってカバーされているエリアのセクタ内のアクセス端末に通信するように設計されている。
【００１９】
順方向リンク１２０、１２６による通信では、アクセス・ノード１００の送信アンテナは、異なるアクセス端末１１６、１２４のための順方向リンクの信号対雑音比を改善するために、ビームフォーミングを利用する。さらに、有効通信範囲内にランダムに散在するアクセス端末へ送信するためにビームフォーミングを利用するアクセス・ノードは、すべてのアクセス端末に対して単一のアンテナで送信しているアクセス・ノードのよりも、近隣セル内のアクセス端末に対して少ない干渉しかもたらさない。
【００２０】
アクセス・ノードは、端末との通信のために使用される固定局であることができ、ノードＢ、ｅノードＢ（ｅＮＢ）、あるいはその他いくつかの専門用語でも称される。アクセス端末は、無線端末、ユーザ機器（ＵＥ）、無線通信デバイス、端末、または、その他いくつかの専門用語でも称される。
【００２１】
図２は、無線端末において生じる変化に関する更新された機能情報を提供することを容易にする典型的なアクセス端末を図示する。アクセス端末２００は、例えば（図示しない）受信アンテナから信号を受信し、受信した信号に対して一般的な動作（例えば、フィルタ、増幅、ダウンコンバート等）を実行し、これら調整された信号をデジタル化して、サンプルを得る受信機２０２を備える。受信機２０２はまた、受信したシンボルを復調し、それらを、チャネル推定のためにプロセッサ２０６へ提供する。プロセッサ２０６は、受信機２０２によって受信された情報の分析、および／または、送信機２１６による送信のための情報の生成に特化されたプロセッサ、アクセス端末２００の１または複数の構成要素を制御するプロセッサ、および／または、受信機２０２によって受信された情報の分析と、送信機２１６による送信のための情報の生成と、アクセス端末２００の１または複数の構成要素の制御との両方を行うプロセッサでありうる。
【００２２】
アクセス端末２００はさらに、プロセッサ２０６に動作可能に接続されたメモリ２０８を備えうる。このメモリ２０８は、送信されるデータ、受信されたデータ、利用可能なチャネルに関連する情報、分析された信号および／または干渉の強度に関連付けられたデータ、割り当てられたチャネル、電力、レート等に関連する情報、および、チャネルの推定およびチャネルを介した通信のためのその他任意の適切な情報を格納しうる。メモリ２０８はさらに、（例えば、パフォーマンス・ベース、キャパシティ・ベース等での）チャネルの推定および／または利用に関連付けられたアルゴリズムおよび／またはプロトコルを格納しうる。
【００２３】
本明細書に記載されたデータ・ストア（例えば、メモリ２０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ２０８は、限定される訳ではないが、これらおよびその他任意の適切なタイプのメモリを備えることが意図される。
【００２４】
プロセッサ２０６はさらに、モバイル・デバイスの機能変化を検出し、これら変化を、接続されたネットワークへレポートする機能変化レポータ２１０に動作可能に接続されうる。アクセス端末２００は、ネットワークへの物理的な接続を維持しながら、アクセス・ノードへのＲＲＣ接続を終了させることができる。上述したように、アクセス・ノードは一般に、アクセス端末機能情報を継続して格納している。すなわち、一般的な構成では、アクセス端末がネットワークに接続されている間に生じたアクセス端末の機能変化を、アクセス端末はレポートしないし、アクセス・ノードは判定しない。典型的な態様によれば、機能変化レポータ２１０は、機能変化がネットワークにレポートされるようにする。
【００２５】
いくつかの態様によれば、機能変化レポータ２１０は、ネットワークへのＲＲＣ接続が再構築されると、機能変化をアクセス・ノードへレポートするように構成される。したがって、機能変化は、ＲＲＣセットアップ完了メッセージに含まれうる。機能変化は、例えばセットアップ完了メッセージに追加された追加ビットのように、セットアップ完了メッセージ内のインジケータによって示されうる。このインジケータは、機能情報に対するあらゆる変化を含む、アクセス端末の機能情報を要求するようにアクセス・ノードをトリガすることができる。他の態様では、実際に変化した機能情報が、全体的または部分的に、アクセス・ノードへとダイレクトにレポートされうる。機能変化レポータ２１０はプロセッサ２０６とは別の要素として示されているが、当業者であれば、機能変化レポータ２１０は一般に、プロセッサ２０６に統合されうることを認識するであろう。
【００２６】
図３は、アクセス端末に関連付けられた機能情報を更新することを容易にするシステム３００の実例である。システム３００は、複数の受信アンテナ３０６によって１または複数のアクセス端末３０４からの信号（単数または複数）を受信する受信機３１０と、送信アンテナ３０８によって１または複数のモバイル・デバイス３０４へ送信する送信機３２４と、を有するアクセス・ノード３０２（例えば、アクセス・ポイント、ｅノードＢ、基地局）を備える。受信機３１０は、受信アンテナ３０６から情報を受け取り、この受け取った情報を復調しうる。復調されたシンボルは、受信機３１０によって受信された情報の分析、および／または、送信機３２４による送信のための情報の生成、に特化されたプロセッサでありうるプロセッサ３１４によって分析される。例えば、プロセッサ３１４は、アクセス端末３０４とのラジオ接続を確立するためのメッセージを生成するように構成されうる。プロセッサ３０４は、信号（例えばパイロット）強度および／または干渉の強度を推定することに関連する情報、アクセス端末３０４（単数または複数）（または（図示しない別の基地局）へ送信される／から受信されたデータ、および／または、本明細書に記載されたさまざまな動作および機能を実行することに関連するその他任意の適切な情報を格納するメモリ３１６に接続される。プロセッサ３１４はさらに、機能変化プロセッサ３１８に接続される。
【００２７】
機能変化プロセッサ３１８は、その機能への変化に関連する情報を、アクセス端末３０４から受け取ることができる。機能変化プロセッサ３１８は、例えばＭＭＥにおける機能情報を格納するように構成されうる。さらに、プロセッサ３１４と別に示されているが、機能変化プロセッサ３１８は、プロセッサ３１４または複数のプロセッサ（図示せず）の一部でありうることが認識されるべきである。
【００２８】
図４に移って、無線ネットワークにおけるアクセス端末機能の更新を容易にする方法４００の例が示される。例えば、アクセス端末機能は、ＭＭＥに格納されうる。この点に関し、この機能は、各接続確立／再確立時に、および／または、機能変化が生じた場合に更新されうる。さらに、この機能変化は、アクセス端末によってアクセス・ノードへ送信されるか、および／または、アクセス・ノードが、アクセス端末からそのような変化の通知を受信すると、変化した機能を要求しうる。したがって、４０２では、アクセス・ノードへのラジオ接続の確立要求が、アクセス端末から受信される。その要求は、例えば、ＲＲＣ接続要求でありうる。４０４に示すように、ＲＲＣ接続を確立するために、接続セットアップ・メッセージが、アクセス端末へ送信される。いくつかの態様によれば、セッションが設立された後、アクセス・ノードは、例えば、これがアクセス端末から受信した最初の接続要求であった場合、アクセス端末に対して機能問合メッセージを送信することができる。アクセス端末は、自己の機能インジケーションをアクセス・ノードへ送信することによって、この機能問合せに対して応答しうる。機能情報は、アクセス・ノードによって格納されうる。
【００２９】
いくつかの態様では、ＲＲＣ接続セットアップは、一例において、別のアクセス・ノードからの接続解放の後に続く。アクセス端末は、例によれば、（例えば、ユーザ・インタフェース、接続、接続解除、あるいは他のデバイスとの通信等によって）機能を変化させうる。４０６に図示するように、アクセス・ノードは、セットアップ処理が完了すると、アクセス端末からセットアップ完了メッセージを受信しうる。いくつかの典型的な態様によれば、この完了メッセージは、機能が最後にアクセス・ノードにレポートされてからアクセス端末が機能を変化させたことを示す変化インジケータを含むことができる。したがって、４０８に示すように、アクセス・ノードは、変化インジケータが完了メッセージに含まれているかを判定することができる。もしも含まれていなければ、処理は終了する。
【００３０】
もしも変化インジケータが完了メッセージに含まれている場合、４１０に示すように、アクセス・ノードは、変化インジケータに少なくとも部分的に基づいて、アクセス端末における機能変化を判定することができる。いくつかの態様によれば、変化インジケータは、アクセス・ノードに対して、新たな機能情報を取得せよとのメッセージをアクセス端末へ送信するようにトリガすることができる。例えば、変化インジケータは、変化を示すためにＲＲＣ接続セットアップ完了メッセージに追加されるビットを備えることができる。他の態様では、変化インジケータ自身が、アクセス端末の機能に対する変化を含んでいる。
【００３１】
図４は、変化インジケータが完了メッセージに含まれているかを判定することと、この変化インジケータに少なくとも部分的に基づいて、機能変化を判定することと、を図示する。いくつかの代替態様によれば、アクセス・ノードは、各ＲＲＣ完了確立の後、アクセス端末機能転送手順を開始することができる。さらに、この手順は、本明細書ではＲＲＣメッセージに関連して記載されているが、これは単なる例である。アクセス端末とアクセス・ノードとの間のプロトコル・スタックの任意のレイヤで送信されるその他任意のタイプのメッセージが、機能変化情報を提供するために使用される。
【００３２】
図５を参照して、アクセス端末機能を更新するためのメッセージ・フロー５００の例が示される。ＡＴ５０２、ＡＮ５０４、およびＭＭＥ５０６間の通信が図示されている。５１０に図示するように、ＡＴ５０２とＡＮ５０４との間でＲＲＣ接続が確立される。この接続確立処理は、例えば、ＡＴ５０２からＡＮ５０４へＲＲＣ接続要求を送信することと、その応答として、ＡＮ５０４からＡＴ５０２へＲＲＣ接続セットアップ・メッセージを送信することと、を含むことができる。その後、ＡＴ５０２は、ＲＲＣセットアップ完了メッセージによって応答する。
【００３３】
５１０に図示する最初の接続確立の後、ＡＮ５０４は、ＡＴ５０２のために格納された機能をまだ持っていない。したがって、５１２に図示するように、ＡＮ５０４は、ＡＴ機能問合メッセージをＡＴ５０２へ発行することによって、ＡＴ機能更新手順を自主的に開始することができる。５１４に図示するように、ＡＴ５０２は、その機能情報を送信することによって応答する。５１６に図示するように、ＡＮは、ＡＴ機能情報を、格納のためにＭＭＥ５０６へ転送する。したがって、５１８に図示するように、ＭＭＥ５０６は、機能情報を格納する。図５は、機能情報をＭＭＥ５０６に格納することを図示しているが、これは単なる典型例である。ＡＮ５０４は、ＡＮによってアクセスすることが可能な任意の内部メモリ位置または外部メモリ位置に機能情報を格納することができる。
【００３４】
ＡＴ５０２がいまだにコア・ネットワークに接続されている間に、ＲＲＣ接続が解放された後、ＡＴ機能は変化する。例えば、ＡＴ５０２は、外部デバイスの接続、ユーザによって指示された設定変化、新たなソフトウェア・バージョン、および／または、その他任意の機能変化を受信することができる。５２０では、ＲＲＣ接続解放が図示されており、５２２では、ＡＴ５０２の機能変化が図示されている。
【００３５】
５２４に図示されているように、ＡＴ５０２は、ＡＮ５０４への接続を再確立するための新たな接続要求を発行しうる。５２６に図示されているように、ＡＮ５０４は、接続セットアップ・メッセージによって応答することができる。ＡＮ５０２はその後、５２８に図示されているように、ＲＲＣセットアップ完了メッセージを発行する。いくつかの態様によれば、ＲＲＣセットアップ完了メッセージは、ＡＴ５０２の機能変化を示す変化インジケータを含むことができる。この変化インジケータは、５３０に図示されているように、ＡＴ５０２のための格納された機能情報を更新するように、ＡＮ５０４をトリガすることができる。
【００３６】
５３２に図示されているように、ＡＮ５０４は、ＡＴ５０２に関連付けられた新たな機能情報を要求するＡＴ機能問合せを発行する。５３４に図示されているように、ＡＴ５０２は、その機能情報によって応答する。図５は、ＡＮ５０４に対して、更新された機能情報を要求するようにトリガする変化インジケータを示しているが、いくつかの態様では、この機能インジケータは、ＡＮに関連付けられた機能における変化を含みうることが注目される。したがって、ステップ５３２およびステップ５３４は、そのような態様では不要であろう。５３６に図示するように、ＡＮ５０４は、５３８に図示するような格納のために、新たなＡＴ機能をＭＭＥ５０６へ転送する。
【００３７】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロコントローラ、マイクロプロセッサ、本明細書に記載の機能を実行するために設計されたその他の電子ユニット、あるいはこれらの組み合わせ内に実装されうる。
【００３８】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００３９】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００４０】
図６を参照して、無線アクセス・ネットワークを介して受信したメッセージを送信および処理するシステム６００が例示される。例えば、システム６００は、送信機、アクセス・ノード、アクセス・ポイント、ｅノードＢ等の中に少なくとも部分的に存在することができる。システム６００は、プロセッサ、ソフトウェア、またはそれらの組み合わせ（例えば、ファームウェア）によって実現される機能を表す機能ブロックでありうる機能ブロックを含むものとして示されることが認識されるべきである。システム６００は、連携して動作しうる電子構成要素の論理グループ６０２を含む。例えば、論理グループ６０２は、ラジオ・リソース制御（ＲＲＣ）接続のための接続セットアップ・メッセージをアクセス端末へ送信するためのモジュール６０４を含みうる。
【００４１】
さらに、論理グループ６０２は、アクセス端末に関連する機能変化インジケータを備えるメッセージを、アクセス端末から受信するためのモジュール６０６を備えうる。したがって、説明するように、機能変化インジケータが存在すると判定されると、機能変化インジケータは、その後の処理のために使用されうる。さらに、論理グループ６０２は、機能変化インジケータに少なくとも部分的に基づいて、アクセス端末における機能変化を判定するためのモジュール６０８を備えうる。この点に関し、アクセス端末の機能が変化した場合、アクセス・ノードは、接続が解放され、再確立された後であっても、アクセス端末の機能に関連する正確な情報を保持しうる。さらに、システム６００は、電子構成要素６０４、６０６、６０８に関連付けられた機能を実行するための命令群を保持するメモリ６１０を含みうる。メモリ６１０の外側にあるとして示されているが、電子構成要素６０４、６０６、６０８のうちの１または複数は、メモリ６１０内に存在しうることが理解されるべきである。
【００４２】
図７に移って、無線アクセス・ネットワークを介してメッセージを受信し、処理するシステム７００が例示されている。例えば、システム７００は、送信機、アクセス端末、無線デバイス、ＵＥ等の中に少なくとも部分的に存在することができる。図示するように、システム７００は、プロセッサ、ソフトウェア、または（例えば、ファームウェアのような）これらの組み合わせによって実現される機能を表しうる。システム７００は、メッセージの受信および処理を行う電子構成要素の論理グループ７０２を含む。論理グループ７０２は、アクセス端末における機能変化を検出するためのモジュール７０４を含みうる。この変化は、アクセス端末がアクセス・ノードに接続されていながら、ＲＲＣ接続が解放された後に生じる。さらに、論理グループ７０２は、アクセス・ノードへのＲＲＣ接続を再確立するためのＲＲＣ接続要求を、アクセス・ノードへ送信するためのモジュール７０６を含みうる。さらに、論理グループ７０２は、ＲＲＣ接続を確立するための接続セットアップ・メッセージをアクセス・ノードから受信するためのモジュール７０８を含みうる。論理グループ７０２はまた、機能変化を示す変化インジケータを備えるメッセージをアクセス・ノードへ送信するためのモジュール７１０を含むことができる。この点に関し、機能変化インジケータは、アクセス・ノードに対して、機能変化インジケータに少なくとも部分的に基づいて、アクセス端末における機能変化を判定するようにトリガする。さらに、システム７００は、電子構成要素７０４、７０６、７０８に関連付けられた機能を実行するための命令群を保持するメモリ７１２を含みうる。メモリ７１２の外側にあるとして示されているが、電子構成要素７０４、７０６、７０８は、メモリ７１２内に存在しうることが理解されるべきである。
【００４３】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００４４】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００４５】
当業者であればさらに、本明細書で開示された実施形態に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００４６】
本明細書で開示される実施形態に関連して記載されるさまざまな例示的な論理ブロック、モジュール、および回路は、汎用プロセッサ、デジタル信号プロセッサ（ＤＳＰ）、特定用途向けＩＣ（ＡＳＩＣ）、フィールド・プログラマブル・ゲート・アレイ（ＦＰＧＡ）あるいはその他のプログラマブル論理デバイス、ディスクリート・ゲートまたはトランジスタ・ロジック、ディスクリート・ハードウェア構成要素、あるいは、本明細書に記載の機能を実行するために設計されたこれら任意の組み合わせによって実装または実行される。汎用プロセッサとしてマイクロプロセッサを用いることが可能であるが、代わりに、従来技術によるプロセッサ、コントローラ、マイクロコントローラ、あるいは順序回路を用いることも可能である。プロセッサは、例えばＤＳＰとマイクロプロセッサとの組み合わせ、複数のマイクロプロセッサ、ＤＳＰコアと連携する１または複数のマイクロプロセッサ、またはその他任意のこのような構成である計算デバイスの組み合わせとして実現することも可能である。
【００４７】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００４８】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
【図１】
2011530897.tif 000003
【図２】
2011530897.tif 000004
【図３】
2011530897.tif 000005
【図４】
2011530897.tif 000006
【図５】
2011530897.tif 000007
【図６】
2011530897.tif 000008
【図７】
2011530897.tif 000009
【国際調査報告】
2011530897.tif 000010
2011530897.tif 000011
2011530897.tif 000012